(57)【特許請求の範囲】
【請求項１】
Ｂ、Ｇ、Ｒの波長域に分光感度を有するＢセンサ、ＧセンサおよびＲセンサに加えて、前記Ｂセンサのピーク感度と前記Ｇセンサのピーク感度との間の波長域に感度を有する第４のセンサを配置した撮像デバイスを有し、被写体を撮影することによりＢ信号、Ｇ信号、Ｒ信号および前記第４のセンサにより得られる第４の信号を取得する撮影装置において、
前記第４の信号と前記Ｂ信号との差分値の絶対値に応じて、前記Ｂ信号を変調して変調Ｂ信号を得るＢ信号変調手段と、
前記変調Ｂ信号、前記Ｇ信号および前記Ｒ信号からなるカラー画像データにより表される画像のホワイトバランスを調整するホワイトバランス調整手段とを備えたことを特徴とする撮影装置。
【請求項２】
前記第４の信号と前記Ｒ信号との差分値の絶対値に応じて、前記Ｒ信号をさらに変調して変調Ｒ信号を得るＲ信号変調手段をさらに備え、
前記ホワイトバランス調整手段は、前記変調Ｂ信号、前記Ｇ信号および前記変調Ｒ信号からなるカラー画像データにより表される画像のホワイトバランスを調整する手段であることを特徴とする請求項１記載の撮影装置。
【請求項３】
Ｂ、Ｇ、Ｒの波長域に分光感度を有するＢセンサ、ＧセンサおよびＲセンサに加えて、前記Ｂセンサのピーク感度と前記Ｇセンサのピーク感度との間の波長域に感度を有する第４のセンサを配置した撮像デバイスを有し、被写体を撮影することによりＢ信号、Ｇ信号、Ｒ信号および前記第４のセンサにより得られる第４の信号を取得する撮影装置において得られる前記Ｂ信号、前記Ｇ信号および前記Ｒ信号からなるカラー画像データにより表される画像のホワイトバランスを調整するホワイトバランス調整方法であって、
前記第４の信号と前記Ｂ信号との差分値の絶対値に応じて、前記Ｂ信号を変調して変調Ｂ信号を得、
前記変調Ｂ信号、前記Ｇ信号および前記Ｒ信号からなるカラー画像データにてホワイトバランスを調整することを特徴とするホワイトバランス調整方法。
【請求項４】
前記第４の信号と前記Ｒ信号との差分値の絶対値に応じて、前記Ｒ信号をさらに変調して変調Ｒ信号を得、
前記変調Ｂ信号、前記Ｇ信号および前記変調Ｒ信号からなるカラー画像データにてホワイトバランスを調整することを特徴とする請求項３記載のホワイトバランス調整方法。
【請求項５】
Ｂ、Ｇ、Ｒの波長域に分光感度を有するＢセンサ、ＧセンサおよびＲセンサに加えて、前記Ｂセンサのピーク感度と前記Ｇセンサのピーク感度との間の波長域に感度を有する第４のセンサを配置した撮像デバイスを有し、被写体を撮影することによりＢ信号、Ｇ信号、Ｒ信号および前記第４のセンサにより得られる第４の信号を取得する撮影装置において得られる前記Ｂ信号、前記Ｇ信号および前記Ｒ信号からなるカラー画像データにより表される画像のホワイトバランスを調整するホワイトバランス調整装置であって、
前記第４の信号と前記Ｂ信号との差分値の絶対値に応じて、前記Ｂ信号を変調して変調Ｂ信号を得るＢ信号変調手段と、
前記変調Ｂ信号、前記Ｇ信号および前記Ｒ信号からなるカラー画像データによりホワイトバランスを調整するホワイトバランス調整手段とを備えたことを特徴とするホワイトバランス調整装置。
【請求項６】
前記第４の信号と前記Ｒ信号との差分値の絶対値に応じて、前記Ｒ信号をさらに変調して変調Ｒ信号を得るＲ信号変調手段をさらに備え、
前記ホワイトバランス調整手段は、前記変調Ｂ信号、前記Ｇ信号および前記変調Ｒ信号からなるカラー画像データによりホワイトバランスを調整する手段であることを特徴とする請求項５記載のホワイトバランス調整装置。
【発明の詳細な説明】
【０００１】
【発明の属する技術分野】
本発明は、例えばデジタルカメラのように、Ｂセンサ、ＧセンサおよびＲセンサを有する撮像デバイスにより被写体を撮像することにより得られるカラー画像のホワイトバランスを調整するのに適した撮影装置並びにホワイトバランスを調整する方法および装置に関するものである。
【０００２】
【従来の技術】
カラーネガフイルムにおいては、色温度が５５００Ｋ程度の昼光下において、適切なホワイトバランスとなるように感光材料の分光感度が設定されているものが多い。このようなカラーネガフイルムを用いて、蛍光灯下において撮影を行うと、一般的にグリーン味を帯びた画像が得られたものとなる。これは、得られる画像におけるＲとＧとの分離をよくするために、ネガファイルフイルムに用いられているＲの感光層の分光感度が長波長側に偏っていること、さらには図５から図７の蛍光灯の分光エネルギー分布に示すように、ＢおよびＧの間の波長域において分光エネルギーが他の波長域と比較して小さくなることを原因とするものである。この問題を解決するために、Ｒの分光感度を短波長側に偏らせるとともに、ＢおよびＧの間の波長域に分光感度を有する第４の感光層を設けたネガフイルムが提案されている。このようなネガフイルムによれば、昼光下のみならず蛍光灯下においても適切なホワイトバランスとなるような画像を得ることができる。
【０００３】
一方、デジタル電子スチルカメラ（以下デジタルカメラとする）においては、ＣＣＤ等の撮像デバイスにより撮影することにより取得される画像をデジタル画像データとしてデジタルカメラ内部に設けられた内部メモリやＩＣカードなどの記録媒体に記録し、記録されたデジタル画像データに基づいて、プリントなどのハードコピーとしてあるいはディスプレイ上にソフトコピーとして撮影により取得した画像を再現することができる。このような場合、被写体上においてグレーであった物体がディスプレイやプリント上においてもグレーに再現されるように、画像全体のホワイトバランスが調整される。
【０００４】
【発明が解決しようとする課題】
しかしながら、デジタルカメラにおいても、撮像デバイスの分光感度は昼光下において撮影を行った場合に適切なホワイトバランスとなるようにその出力が調整されることが一般的であるため、蛍光灯下において撮影を行うと、得られる画像の色味が異なるものとなる。すなわち、デジタルカメラの場合には、ＣＣＤを構成するＲセンサの分光感度はネガフイルムと比較して短波長側に設定することができるため、Ｒの感度が不足することはないが、蛍光灯下ではＧ信号およびＲ信号と比較してＢ信号の信号値が低くなることから、昼光用に出力が調整されたデジタルカメラを用いて蛍光灯下において撮影を行うと、得られる画像が黄色味を帯びたものとなってしまう。この場合は、得られたデジタル画像データに基づいてホワイトバランスを調整することにより、適切なホワイトバランスとなる画像を得ることができる。しかしながら、昼光と蛍光灯とが混在するような光源下において撮影を行った場合には、いずれか一方の光源に適したホワイトバランスの調整しか行うことができなため、このような光源が混在する状況において得られたデジタル画像データに対して双方の光源の色温度に応じた適切なホワイトバランス調整を行うことは困難である。
【０００５】
本発明は上記事情に鑑みなされたものであり、蛍光灯下あるいは昼光と蛍光灯とが混在した光源下において撮影を行うことにより得られた画像に対しても、適切にホワイトバランスを調整することができる撮影装置、並びにホワイトバランス調整方法および装置を提供することを目的とするものである。
【０００６】
【課題を解決するための手段】
本発明による撮像装置は、Ｂ、Ｇ、Ｒの波長域に分光感度を有するＢセンサ、ＧセンサおよびＲセンサに加えて、前記Ｂセンサのピーク感度と前記Ｇセンサのピーク感度との間の波長域に感度を有する第４のセンサを配置した撮像デバイスを有し、被写体を撮影することによりＢ信号、Ｇ信号、Ｒ信号および前記第４のセンサにより得られる第４の信号を取得することを特徴とするものである。
【０００７】
ここで、第４のセンサは、４６０〜５３５ｎｍの波長域に分光感度を有するものであることが好ましく、この波長域はさらに４７５〜５３５ｎｍであることが好ましい。
【０００８】
なお、本発明による撮影装置においては、前記第４の信号と前記Ｂ信号との差分値の絶対値に応じて、前記Ｂ信号を変調して変調Ｂ信号を得るＢ信号変調手段と、
前記変調Ｂ信号、前記Ｇ信号および前記Ｒ信号からなるカラー画像データにより表される画像のホワイトバランスを調整するホワイトバランス調整手段とをさらに備えることが好ましい。
【０００９】
また、この場合、前記第４の信号と前記Ｒ信号との差分値の絶対値に応じて、前記Ｒ信号をさらに変調して変調Ｒ信号を得るＲ信号変調手段をさらに備え、
前記ホワイトバランス調整手段が、前記変調Ｂ信号、前記Ｇ信号および前記変調Ｒ信号からなるカラー画像データにより表される画像のホワイトバランスを調整する手段とすることが好ましい。
【００１０】
本発明によるホワイトバランス調整方法は、本発明による撮影装置において得られる前記Ｂ信号、前記Ｇ信号および前記Ｒ信号からなるカラー画像データにより表される画像のホワイトバランスを調整するホワイトバランス調整方法であって、
前記第４の信号と前記Ｂ信号との差分値の絶対値に応じて、前記Ｂ信号を変調して変調Ｂ信号を得、
前記変調Ｂ信号、前記Ｇ信号および前記Ｒ信号からなるカラー画像データにてホワイトバランスを調整することを特徴とするものである。
【００１１】
なお、本発明によるホワイトバランス調整方法においては、前記第４の信号と前記Ｒ信号との差分値の絶対値に応じて、前記Ｒ信号をさらに変調して変調Ｒ信号を得、
前記変調Ｂ信号、前記Ｇ信号および前記変調Ｒ信号からなるカラー画像データにてホワイトバランスを調整することが好ましい。
【００１２】
本発明によるホワイトバランス調整装置は、本発明による撮影装置において得られる前記Ｂ信号、前記Ｇ信号および前記Ｒ信号からなるカラー画像データにより表される画像のホワイトバランスを調整するホワイトバランス調整装置であって、
前記第４の信号と前記Ｂ信号との差分値の絶対値に応じて、前記Ｂ信号を変調して変調Ｂ信号を得るＢ信号変調手段と、
前記変調Ｂ信号、前記Ｇ信号および前記Ｒ信号からなるカラー画像データによりホワイトバランスを調整するホワイトバランス調整手段とを備えたことを特徴とするものである。
【００１３】
なお、本発明によるホワイトバランス調整装置においては、前記第４の信号と前記Ｒ信号との差分値の絶対値に応じて、前記Ｒ信号をさらに変調して変調Ｒ信号を得るＲ信号変調手段をさらに備え、
前記ホワイトバランス調整手段が、前記変調Ｂ信号、前記Ｇ信号および前記変調Ｒ信号からなるカラー画像データによりホワイトバランスを調整する手段とすることが好ましい。
【００１４】
【発明の効果】
本発明によれば、Ｂセンサのピーク感度とＧセンサのピーク感度との間の波長域に感度を有する第４のセンサを配置した撮像デバイスによりＢ信号、Ｇ信号、Ｒ信号および第４の信号を取得し、第４の信号とＢ信号との差分値の絶対値に応じて、Ｂ信号を変調して変調Ｂ信号を得る。そしてこの変調されたＢ信号を用いて、Ｒ信号およびＧ信号とともに画像のホワイトバランスを調整するようにしたものである。ここで、一般的な蛍光灯は上述したようにＢおよびＧの間の波長域における分光エネルギーが他の波長域と比較して小さく、Ｂ信号＞第４の信号となるため、第４の信号とＢ信号との差の絶対値に応じてＢ信号を変調すれば、変調Ｂ信号の値を元のＢ信号の値よりも大きくすることができる。また、蛍光灯によっては、必ずしもＢおよびＧの間の波長域において分光エネルギーが他の波長域と比較して小さくならない場合があるが、第４の信号とＢ信号との間に差があればこの差の絶対値に基づいてＢ信号を変調することにより、変調Ｂ信号の値を元のＢ信号の値よりも大きくすることができる。したがって、元のＢ信号よりも値が大きい変調Ｂ信号を用いて、Ｒ信号およびＧ信号とともにカラー画像データにより表される画像のホワイトバランスを調整すれば、撮影時の光源に蛍光灯が含まれている場合であっても、Ｂの感度不足を補って画像が黄色味かかることなく、ホワイトバランスの調整を行うことができる。
【００１５】
また、Ｇ信号を基準としてホワイトバランスの調整を行う場合は、Ｒ信号については蛍光灯に対する感度が不足することはないが、Ｂ信号を変調してホワイトバランスを調整すると、Ｒの感度がＢ、Ｇの感度と大きく異なるものとなる場合がある。このため、第４の信号とＲ信号との差分値の絶対値に応じて、Ｒ信号をさらに変調して変調Ｒ信号を得、この変調Ｒ信号、Ｇ信号および変調Ｂ信号に基づいて画像のホワイトバランスを調整すれば、Ｒ信号についてもその値を変更することができるため、Ｂ信号、Ｇ信号とのバランスをとって画像のホワイトバランスを調整することができる。
【００１６】
【発明の実施の形態】
以下図面を参照して本発明の実施形態について説明する。
【００１７】
図１は本発明の実施形態によるホワイトバランス調整装置の構成を示す概略ブロック図である。図１に示すように、本実施形態によるホワイトバランス調整装置５は、デジタルカメラ１により被写体を撮像することにより得られたカラー画像データＳ１により表される画像に対してホワイトバランスの調整を行うものであり、デジタルカメラ１において得られたカラー画像データＳ１を構成するＢ、Ｇ、Ｒおよび後述するＣＬ信号のうち、Ｂ信号とＣＬ信号との差の絶対値に応じてＢ信号を変調して変調Ｂ信号（以下Ｂ′とする）を算出する第１の変調手段２と、Ｒ信号とＣＬ信号との差の絶対値に応じてＲ信号を変調して変調Ｒ信号（以下Ｒ′とする）を算出する第２の変調手段３と、Ｂ′信号、Ｇ信号およびＲ′信号に基づいてホワイトバランスの調整を行ってホワイトバランス調整済みのカラー画像データＳ２を得るホワイトバランス調整手段４とを備える。
【００１８】
ここで、撮影時の光源として用いられる蛍光灯には、ＪＩＳＺ８７１９により大きく分けて図５〜図７に示すようにＦ２，Ｆ８，Ｆ１１の３タイプの分光エネルギー分布を有するものが存在する。ここで図７に示す分光エネルギー分布を有するＦ１１タイプの蛍光灯は３波長タイプの蛍光灯であり、Ｂ、Ｇ、Ｒのいずれの波長域においても略同一の分光エネルギーを有するものである。図５および図７に示す分光エネルギー分布を有するＦ２，Ｆ１１タイプの蛍光灯は、４４０〜５３５ｎｍの波長域において他の波長域よりも分光エネルギーが小さく、特にＦ１１タイプの蛍光灯においては、５００〜５３５ｎｍの波長域において極めて分光エネルギーが低い。一方、図６に示す分光エネルギー分布を有するＦ８タイプの蛍光灯はＦ２，Ｆ１１とは異なり４４０〜５３５ｎｍの波長域においてそれほど顕著に分光エネルギーが低くなるものではない。
【００１９】
一方、デジタルカメラ１は、図２に示すように、Ｂ、Ｇ、Ｒに分光感度を有するＢセンサ、ＧセンサおよびＲセンサを配置したＣＣＤを有し、被写体を撮影することにより、Ｂセンサ、ＧセンサおよびＲセンサによりＢ信号、Ｇ信号およびＲ信号を得、これらの信号により構成されるカラー画像データＳ１を得るものである。そして本実施形態においては、デジタルカメラ１に用いられているＣＣＤは、Ｂセンサ、ＧセンサおよびＲセンサに加えて、図２の破線に示すように、Ｂセンサのピーク感度とＧセンサのピーク感度との間の波長域（４８０〜５３０ｎｍ）に感度を有するＣＬセンサを備えてなるものである。なお、ＣＬセンサはＣＣＤの受光面の全体に亘って、数個のセンサにつき１つの割合で配置されている。そして、被写体を撮影することにより得られたカラー画像データＳ１は不図示のメモリカード等の記録媒体に記録されて、ホワイトバランス調整装置５に提供されるものである。
【００２０】
第１の変調手段２は、下記の式（１）に示すようにＢ信号とＣＬ信号との差の絶対値を算出し、これに係数βを乗じたものをＢ信号に加算して変調Ｂ信号Ｂ′を得る。
【００２１】
Ｂ′＝Ｂ＋β｜Ｂ−ＣＬ｜        （１）
ここで、係数βは、０．３〜０．７の間にあることが好ましく、この間の値とすることによりホワイトバランスを適切に調整可能なようにＢ信号の値を変調することができる。
【００２２】
第２の変調手段３は、下記の式（２）に示すようにＲ信号とＣＬ信号との差の絶対値を算出し、これに係数αを乗じたものをＲ信号に加算して変調Ｒ信号Ｒ′を得る。
【００２３】
Ｒ′＝Ｒ＋α｜Ｒ−ＣＬ｜        （２）
ここで、係数αは、−０．０５〜−０．１５の間にあることが好ましく、この間の値とすることによりホワイトバランスを適切に調整可能なようにＲ信号の値を変調することができる。
【００２４】
図５および図７に示す蛍光灯Ｆ２，Ｆ１１は、上述したようにＢおよびＧの間の波長域において分光エネルギーが他の波長域と比較して小さく、Ｂ信号＞ＣＬ信号となるため、上記式（１）に示すようにＢ信号とＣＬ信号との差の絶対値に応じてＢ信号を変調すれば変調Ｂ信号の値は元のＢ信号の値よりも大きくなる。また、図６に示す蛍光灯Ｆ８のように、必ずしもＢおよびＧの間の波長域において分光エネルギーが他の波長域と比較して小さくならない場合があるが、ＣＬ信号とＢ信号との間に差があればこの差の絶対値に基づいてＢ信号を変調することにより、変調Ｂ信号の値は元のＢ信号の値よりも大きくなる。
【００２５】
調整手段４においては、変調Ｂ信号Ｂ′、Ｇ信号および変調Ｒ信号Ｒ′のＢＧＲ各チャンネルごとの平均値Ｂｍ，Ｇｍ，Ｒｍを求め、下記の式（３）に示すように、各平均値Ｂｍ，Ｇｍ，Ｒｍのうち１の平均値（例えばＧｍ）に他の平均値Ｂｍ，Ｒｍが一致するように色信号Ｂ′、Ｇ、Ｒ′の値を調整してホワイトバランスを調整する。
【００２６】
Ｂ″＝Ｂ′・Ｇｍ／Ｂｍ
Ｇ″＝Ｇ・Ｇｍ／Ｇｍ                            （３）
Ｒ″＝Ｒ′・Ｇｍ／Ｒｍ
このようにして得られた変換色信号Ｂ″，Ｇ″，Ｒ″がホワイトバランス調整済みのカラー画像データＳ２とされ、プリンタやモニタなどの再生手段に入力され可視像として再生される。
【００２７】
次いで、本実施形態の動作について説明する。図３は本実施形態の動作を示すフローチャートである。まず、ステップＳ１においてデジタルカメラ１により被写体像の撮影を行い、Ｂ信号、Ｇ信号、Ｒ信号およびＣＬ信号からなるカラー画像データＳ１を得る（ステップＳ１）。カラー画像データＳ１はホワイトバランス調整装置５に入力され、まず第１の変調手段２において上記式（１）により変調Ｂ信号が得られる（ステップＳ２）。同様に第２の変調手段３において上記式（２）により変調Ｒ信号が得られる（ステップＳ３）。そして、ホワイトバランス調整手段４において、変調Ｂ信号、Ｇ信号および変調Ｒ信号に基づいて上記式（３）に示すようにホワイトバランスの調整が行われてホワイトバランス調整済みカラー画像データＳ２が得られる（ステップＳ４）。カラー画像データＳ２は、プリンタ、ＣＲＴ等の再生手段において再生される（ステップＳ５）。
【００２８】
次に、本実施形態の具体的な実施例について説明する。
【００２９】
まず、デジタルカメラ１を図４に示すような分光エネルギー分布を有する５５００Ｋの昼光に対して、ＣＣＤを構成するＢ、Ｇ、Ｒ、ＣＬの各センサの出力をＢ＝Ｇ＝Ｒ＝ＣＬ＝１．０となるように調整し、この後に光源を蛍光灯に切り替える。このときの各センサの出力を下記の表１に示す。ここで、蛍光灯の出力はＧセンサの出力値が１．００となるように調整されている。
【００３０】
【表１】
0003952113.tif 000002
【００３１】
表１に示す各センサの出力値を用いて上記式（１）に示すように、Ｂ信号を変調した。係数βは０，０．５，１．０とした。変調Ｂ信号値を下記の表２に示す。
【００３２】
【表２】
0003952113.tif 000003
【００３３】
表２に示すように、Ｆ２，Ｆ８についてはβ＝１．０とした場合に変調Ｂ信号の信号値が１．０に最も近くなり、Ｆ１１についてはβ＝０．５の時に変調Ｂ信号の信号値が１．０に最も近くなることが分かった。そして、このように変調されたＢ信号を用いてホワイトバランスの調整を行うことにより、撮影時の光源に蛍光灯が含まれている場合であっても、Ｂの感度不足を補って画像が黄色味かかることなく、ホワイトバランスの調整を行うことができる。
【００３４】
一方、表１に示す各センサの出力値を用いて上記式（２）に示すように、Ｒ信号を変調した。係数αは０，−０．１，−０．２とした。変調Ｒ信号値を下記の表３に示す。
【００３５】
【表３】
0003952113.tif 000004
【００３６】
上記表１に示すようにＲ信号は元々１．００に近い値を有するため、係数αの値は比較的小さいものとすればよい。表３に示すように、Ｆ２についてはα＝０すなわちＲ信号を変調しなくとも変調Ｒ信号の信号値が１．０に最も近くなり、Ｆ８についてはα＝−０．２の時に変調Ｒ信号の信号値が１．０に最も近くなり、Ｆ１１についてはα＝−０．１の時に変調Ｒ信号の信号値が１．０に最も近くなることが分かった。そして、このように変調されたＲ信号を用いてホワイトバランスの調整を行うことにより、変調Ｂ信号とのバランスをとって、画像のホワイトバランスを調整することができる。
【００３７】
ここで、係数α、βを種々変更した場合の総合的な改善効果、すなわち本実施形態においてホワイトバランスの調整がなされたカラー画像データＳ２が昼光のグレーにどの程度近いものであるかを評価するために、変調Ｂ信号、変調Ｒ信号、Ｇ信号を色度値に変換し、グレーの色度値（０．３３３，０．３３３）からの隔たり（ノルムＮ）がどの程度の値となるかを求めた。ここで、色度値は下記の式（４）により、ノルムＮは下記の式（５）により定義される。
【００３８】
ｇ＝Ｇ／（Ｂ′＋Ｇ＋Ｒ′）
ｒ＝Ｒ′／（Ｂ′＋Ｇ＋Ｒ′）            （４）
Ｎ＝√（（ｇ−０．３３３）2＋（ｒ−０．３３３）2）      （５）
上述したようにβ＝０，０．５，１．０、α＝０，−０．１，−０．２とした場合の全ての組み合わせに対して、図５〜図７に示す３つのタイプＦ２，Ｆ８，Ｆ１１のノルムＮを求めた。まず、係数βを変化させた場合のノルムＮを下記の表４に、αおよびβを変化させた場合の各蛍光灯のタイプＦ２，Ｆ８，Ｆ１１におけるノルムＮの平均値を表５に示す。
【００３９】
【表４】
0003952113.tif 000005
【００４０】
【表５】
0003952113.tif 000006
【００４１】
表５に示すようにα＝−０．１、β＝０．５の場合にノルムＮは最小の０．０１８となることが分かった。変調前のＢ信号およびＲ信号を用いた場合のノルムＮは０．０４３であることから約６０％改善されたことが分かった。
【００４２】
なお、上記実施形態においては、第２の変調手段３においてＲ信号を変調しているが、特に第２の変調手段３を設ける必要はなく、変調Ｂ信号のみを用いるようにしてもよい。
【００４３】
また、上記実施形態においては、デジタルカメラ１とは別個にホワイトバランス調整装置を設けているが、デジタルカメラ１に本実施形態によるホワイトバランス調整装置を設けてもよい。この場合、デジタルカメラ１においてはメモリカードなどの記録媒体に対して既にホワイトバランスが調整されたカラー画像データＳ２が記憶されることとなる。
【図面の簡単な説明】
【図１】本発明の実施形態によるホワイトバランス調整装置の構成を示す概略ブロック図
【図２】デジタルカメラの分光感度を示す図
【図３】本実施形態の動作を示すフローチャート
【図４】昼光の分光エネルギー分布を示す図
【図５】Ｆ２タイプの蛍光灯の分光エネルギー分布を示す図
【図６】Ｆ８タイプの蛍光灯の分光エネルギー分布を示す図
【図７】Ｆ１１タイプの蛍光灯の分光エネルギー分布を示す図
【符号の説明】
１    デジタルカメラ
２    第１の変調手段
３    第２の変調手段
４    調整手段
５    ホワイトバランス調整装置
【図１】
0003952113.tif 000007
【図２】
0003952113.tif 000008
【図３】
0003952113.tif 000009
【図４】
0003952113.tif 000010
【図５】
0003952113.tif 000011
【図６】
0003952113.tif 000012
【図７】
0003952113.tif 000013